(57)【要約】      （修正有）【課題】安全・安価で、誰もが使い易く、好感触で肌に優しく耳孔を傷付けることなく、効率良くブラッシングが出来る鍵状ブラシ型耳掻きを提供する。【解決手段】抜け出し防止用鍔付先細形状部に嵌挿して設けた鍵状ブラシ型掻出部は、掻出部本体の先端全周部に複数の鍵状ブラシ２ｂをそれぞれ設け、且つ、該鍵状ブラシの毛先端部は、挿入方向の前方側にＲ形状部２ｂ"を、挿入方向の後方側に鍵形状部２ｂ′をそれぞれ有し、且つ、掻出部には、前方側に中空部２ｄとクッション部２ｅをそれぞれ設け、且つ、後端側軸部には握持棒先端に設けた抜け出し防止用鍔部に適合したテーパー状の嵌挿孔２ｃを設け、耳掻き使用時に、耳孔部に耳掻きを挿入する際、鍵状ブラシの毛先が後方側に倒れてスムーズに挿入出来、掻き出し時は鍵形状部が起立して確実に剥離可能に設けた事を特徴とする。【選択図】図１
0003159838.tif 000002
【実用新案登録請求の範囲】
【請求項１】
ほぼ先端表面全周部に所定寸法だけ複数の滑り防止用溝（１ｂ）を設けた握持棒部（１ａ）と該握持棒部の先端に、抜け出し防止用鍔（１ｄ）付先細形状部（１ｃ）を設け、該先細形状部（１ｃ）の先端部には複数の鍵状ブラシ型掻出部（２）を嵌挿して設けた耳掻き（１）において、前記抜け出し防止用鍔（１ｄ）付先細形状部（１ｃ）に嵌挿して設けた鍵状ブラシ型掻出部（２）は、掻出部本体（２ａ）の先端全周部に複数の鍵状ブラシ（２ｂ）をそれぞれ設け、且つ、該鍵状ブラシ（２ｂ）の毛先端部は、挿入方向の前方側にＲ形状部（２ｂ"）を、挿入方向の後方側に鍵形状部（２ｂ'）をそれぞれ有し、且つ、掻出部（２）には、前方側に中空部（２ｄ）とクッション部（２ｅ）をそれぞれ設け、且つ、後端側軸部には握持棒先端に設けた抜け出し防止用鍔（１ｄ）部に適合したテーパー状の嵌挿孔（２ｃ）を設け、耳掻き使用時に、耳孔（ＥＨ）部に耳掻き（１）を挿入する際、鍵状ブラシ（２ｂ）の毛先が後方側に倒れてスムーズに挿入出来、掻き出し時は鍵形状部（２ｂ'）が起立して確実に剥離可能に設けた事を特徴とする鍵状ブラシ型耳掻き。
【考案の詳細な説明】
【技術分野】
【０００１】
この考案は、鍵状ブラシ型耳掻きに関するものである。
【背景技術】
【０００２】
従来の耳掻きは、スプーン型、丸型が一般的であり、何れもフック部が付いているので中から外に耳垢を掻き出す方式に成っていて、最近では丸形状ブラシも市販されている。
【０００３】
そして、ブラシの場合はスプーン型、丸型に比較しフック形状が無い為、ブラシを耳孔の奥に挿入し、回転させることでブラシの螺旋形状に沿って耳垢を排出している。しかし、それでは１回転のピッチが２ｍｍ程度で、耳掻きを数回回転させなければ耳垢は出てこなかった。
【０００４】
更に、使用車の左右の耳では一本の耳掻きでは回転方向が逆方向となり、万が一回転方向を間違って使用すると、耳垢を奥側に押し込むことになり、操作性、安全性、効率性からみて問題があった。
【０００５】
又、丸型ブラシの場合は中心部に針金を使用している為、誤って奥に挿入すると鼓膜を傷付ける危険性があった。
【先行技術文献】
【特許文献】
【０００６】
そこで、これまでに出願されている耳掻きに関する特許文献を参考の為、紹介する（特許文献１〜３参照）。
【特許文献１】特許公開２００４−１３５９２１
【特許文献２】登録実用新案第３０３１４１５号
【特許文献３】登録実用新案第３１３０６９６号
【考案の概要】
【考案が解決しようとする課題】
【０００７】
そこで、上記課題を解決する為に、この考案は安全・安価で、誰もが使い易く、好感触で肌に優しく耳孔を傷付けることなく、効率良くブラッシングが出来る鍵状ブラシ型耳掻きを開発・提供する事にある。
【課題を解決するための手段】
【０００８】
この課題を解決するための手段として、抜け出し防止用鍔付先細形状部に嵌挿して設けた鍵状ブラシ型掻出部は、掻出部本体の先端全周部に複数の鍵状ブラシをそれぞれ設け、且つ、該鍵状ブラシの毛先端部は、挿入方向の前方側にＲ形状部を、挿入方向の後方側に鍵形状部をそれぞれ有し、且つ、掻出部には、前方側に中空部とクッション部をそれぞれ設け、且つ、後端側軸部には握持棒先端に設けた抜け出し防止用鍔部に適合したテーパー状の嵌挿孔を設け、耳掻き使用時に、耳孔部に耳掻きを挿入する際、鍵状ブラシの毛先が後方側に倒れてスムーズに挿入出来、掻き出し時は鍵形状部が起立して確実に剥離可能に設けた事を特徴とするものである。
【考案の効果】
【０００９】
この考案の効果として、抜け出し防止用鍔付先細形状部に嵌挿して設けた鍵状ブラシ型掻出部は、掻出部本体の先端全周部に複数の鍵状ブラシをそれぞれ設け、且つ、該鍵状ブラシの毛先端部は、挿入方向の前方側にＲ形状部を、挿入方向の後方側に鍵形状部をそれぞれ有し、且つ、掻出部には、前方側に中空部とクッション部をそれぞれ設け、且つ、後端側軸部には握持棒先端に設けた抜け出し防止用鍔部に適合したテーパー状の嵌挿孔を設け、耳掻き使用時に、耳孔部に耳掻きを挿入する際、鍵状ブラシの毛先が後方側に倒れてスムーズに挿入出来、掻き出し時は鍵形状部が起立して確実に剥離可能に設けた事で、安全・安価で、誰もが使い易く、掻出部本体の中心部に中空部を設け、且つ、先端部にクッション部を設けて万が一鼓膜に当っても鼓膜を傷付けることが無い為、安全であり、且つ、鍵状ブラシの先端部の一方をＲ形状部に、又、他方を鍵形状部に形成して設けた事で効率良くブラッシングが出来る等、極めて有益なる効果を奏するものである。
【図面の簡単な説明】
【００１０】
【図１】この考案の一実施例を示し、（Ａ）は鍵状ブラシ型耳掻きの全体を表す正面図で、（Ｂ）は図１（Ａ）のａ矢視拡大図で、（Ｃ）は図１（Ａ）のｂ部断面拡大図である。
【図２】この考案の一実施例を示し、鍵状ブラシ型掻出部成形の抜き取り手順を示す断面図である。
【図３】この考案の使用例を示し、鍵状ブラシ型耳掻き使用時の取扱要領図である。
【図４】この考案の使用例を示し、（Ａ）は耳掻き挿入時の鍵状ブラシ変形状態図で、（Ｂ）は耳掻き掻き出し時の鍵状ブラシ変形状態図である。
【考案を実施するための形態】
【００１１】
この考案を実施するための形態として、ほぼ先端表面全周部に所定寸法だけ複数の滑り防止用溝（１ｂ）を設けた握持棒部（１ａ）と該握持棒部の先端に、抜け出し防止用鍔（１ｄ）付先細形状部（１ｃ）を設け、該先細形状部（１ｃ）の先端部には複数の鍵状ブラシ型掻出部（２）を嵌挿して設けた耳掻き（１）において、前記抜け出し防止用鍔（１ｄ）付先細形状部（１ｃ）に嵌挿して設けた鍵状ブラシ型掻出部（２）は、掻出部本体（２ａ）の先端全周部に複数の鍵状ブラシ（２ｂ）をそれぞれ設け、且つ、該鍵状ブラシ（２ｂ）の毛先端部は、挿入方向の前方側にＲ形状部（２ｂ"）を、挿入方向の後方側に鍵形状部（２ｂ'）をそれぞれ有し、且つ、鍵状ブラシ型掻出部（２）には、前方側に中空部（２ｄ）とクッション部（２ｅ）をそれぞれ設け、且つ、後端側軸部には握持棒先端に設けた抜け出し防止用鍔（１ｄ）部に適合したテーパー状の嵌挿孔（２ｃ）を設け、耳掻き使用時に、耳孔（ＥＨ）部に耳掻き（１）を挿入する際、鍵状ブラシ（２ｂ）の毛先が後方側に倒れてスムーズに挿入出来、掻き出し時は鍵形状部（２ｂ'）が起立して確実に剥離可能に設けた事を特徴とする鍵状ブラシ型耳掻きから構成されている。
【実施例１】
【００１２】
そこで、この考案の一実施例を図１（Ａ）（Ｂ）（Ｃ）に基づいて詳述すると、まず、（Ａ）は鍵状ブラシ型耳掻きの全体を表す正面図で、（Ｂ）は図１（Ａ）のａ矢視拡大図で、（Ｃ）は図１（Ａ）のｂ部断面拡大図で、握持棒部（１ａ）と鍵状ブラシ型掻出部（２）の２つの部品を嵌挿係止して一体に組み合わせて構成され、一方側の握持棒部（１ａ）の材質はプラスチック等の樹脂製で、握持棒部（１ａ）の先端に嵌挿係止する。又、他方側の鍵状ブラシ型掻出部（２）の材質は、軟質プラスチック等の樹脂製でそれぞれ形成されている。
【００１３】
そして、一方側の握持棒部（１ａ）の先細形状部（１ｃ）先端には、鍵状ブラシ型掻出部（２）を嵌挿係止する為の抜け出し防止用鍔（１ｄ）とテーパー状軸部（１ｅ）をそれぞれ設け、且つ、先細形状部（１ｃ）と握持棒部（１ａ）との境の表面全周部に所定寸法だけ複数の滑り防止用溝（１ｂ）をそれぞれ設けている。
【００１４】
又、他方側の鍵状ブラシ型掻出部（２）は、掻出部本体（２ａ）の先端全周部に複数の鍵状ブラシ（２ｂ）をそれぞれ設け、且つ、該鍵状ブラシ（２ｂ）の毛先端部は、挿入方向の前方側にＲ形状部（２ｂ"）を、挿入方向の後方側に鍵形状部（２ｂ'）をそれぞれ有し、且つ、掻出部（２）には、前方側に中空部（２ｄ）とクッション部（２ｅ）をそれぞれ設け、且つ、後端側軸部には握持棒先端に設けた抜け出し防止用鍔（１ｄ）部に適合したテーパー状の嵌挿孔（２ｃ）を設けたものである。
【００１５】
又、図２は本考案の鍵状ブラシ型耳掻き（１）の掻出部（２）の射出成形用金型の治具抜き取り作業手順を示す断面図であって、合成樹脂を型の中に充填後、まず、最初に上板を上向きに引き抜き、続いてスライド板５枚を上から下へ順番に全て抜き取り、次に、突き出しピンを上方向に持ち上げて合成樹脂製品（鍵状ブラシ型掻出部（２））を取り出し、最後に突き出しピンから合成樹脂製品を引き抜いて全工程を完了する。
【００１６】
次に、この考案の取扱要領について説明すると、図３に示す様に鍵状ブラシ型耳掻きの握持棒部（１ａ）の滑り防止用溝（１ｂ）を持って、人体の耳孔部（ＥＨ）に挿入し、耳糞又は耳垢（ＥＤ）部分に耳掻きの鍵状ブラシ部（２ｂ）をあてがいながら下方向に押圧して、ゆっくり握持棒の軸部を中心にして回転させながら伸縮移動させて掃除を行うものである。
【００１７】
図４（Ａ）（Ｂ）は耳掻きの挿入・ブラッシング時及び掻き出し時の毛先の変形状態を示す拡大断面図であって、（Ａ）の挿入・ブラッシング時は毛先が挿入方向と逆方向に倒れ、且つ、Ｒ形状に形成されている為、耳糞又は耳垢（ＥＤ）部分をスムーズに乗り越えてくれる為、楽に挿入・ブラッシングが出来る。又、（Ｂ）の逆方向（耳孔の外側方向）に掻き出す時は、鍵状ブラシ部（２ｂ）の鍵形状部（毛先）が起立して耳糞又は耳垢（ＥＤ）を引き掻き易く成る。
【実施例２】
【００１８】
その他の実施例として、本考案のブラシは実施例１に示す耳掻き用に限らず多目的・多用途に使用可能である為、顧客のニーズに応じた様々なブラシに適用可能である。
【産業上の利用可能性】
【００１９】
この考案の鍵状ブラシ型耳掻きは、安全・安価で、誰もが使い易く、好感触で肌に優しく耳孔を傷付けることなく、効率良くブラッシングが出来る事で、多くの市場に寄与する為、産業上の利用可能性を有する。
【符号の説明】
【００２０】
１  耳掻き
１ａ  握持棒部
１ｂ  滑り防止用溝
１ｃ  先細形状部
１ｄ  抜け出し防止用鍔
１ｅ  テーパー状軸部
２  鍵状ブラシ型掻出部
２ａ  掻出部本体
２ｂ  鍵状ブラシ
２ｂ'  鍵形状部
２ｂ"  Ｒ形状部
２ｃ  嵌挿孔
２ｄ  中空部
２ｅ  クッション部
ＥＤ  耳糞又は耳垢
ＥＨ  耳孔
【図１】
0003159838.tif 000003
【図２】
0003159838.tif 000004
【図３】
0003159838.tif 000005
【図４】
0003159838.tif 000006